(57)【要約】【課題】入力操作体がパネル部分越しに接続パターンに触れることによって生じる電圧の変動を抑制しつつ、検出回路が検出する検出電極からの電圧の感度の低下を低減できる静電容量方式タッチセンサ装置を提供する。【解決手段】検出電極２０と、接続パターン１１と、シールド電極１２とがパネル部分１０に配置され、検出電極２０及び接続パターン１１の接触によってそれぞれの静電容量の値の変化を電圧の変化として検出可能な検出回路３０とを備え、その検出回路３０の電圧の変化を示す信号に基づき、検出電極が接触されたか否かを検出可能な制御装置４０を有する。シールド電極１２は、接続パターン１１に対して予め設定された面積が重なるように対向配置されており、かつ接続パターン１１の部分を指５０が接触面から接触した際、その指５０の一部とシールド電極１２とが重なって対向配置されている。【選択図】図１
2013171680.tif 000002
【特許請求の範囲】
【請求項１】
パネル部分に配置され、当該パネル部分の接触面から入力操作体の接触に応動して静電容量の値が変化する検出電極と、
前記パネル部分に配置され、前記パネル部分の外部へ電気的な接続を行うための接続端子と、当該接続端子と前記検出電極との間が電気的に接続された接続パターンと、
前記パネル部分に配置され、前記接続パターンと前記接触面との間に互いに絶縁体を介して配置されたシールド電極と、
前記接続端子と接続され、かつ前記パネル部分の外部に設けられており、前記検出電極及び前記接続パターンのそれぞれの前記入力操作体の接触によって生じる前記静電容量の値の変化を電圧の変化として検出できる検出回路とを備え、
前記検出回路の前記電圧の変化を示す信号に基づき、前記検出電極が接触されたか否かを判定できる静電容量方式タッチセンサ装置において、
前記シールド電極は、前記接続パターンの接触及び検出電極それぞれの接触による検出回路の電圧の変化と、前記検出電極が接触されたか否かを判定するための所定の閾値電圧との関係に基づき設定された面積が、前記接続パターンに対して重なるように対向配置され、
かつ前記接続パターンの部分を前記入力操作体が前記接触面から接触した際、
当該入力操作体の一部と前記シールド電極とが重なって対向配置されている
ことを特徴とする静電容量方式タッチセンサ装置。
【請求項２】
前記シールド電極と同層に、前記接続パターンの幅方向に対して前記シールド電極が対向配置されない跨ぎ部をさらに設け、
前記跨ぎ部には、前記接続パターンを幅方向に跨ぐ様に配線パターンが配置されていることを特徴とする請求項１に記載の静電容量方式タッチセンサ装置。
【発明の詳細な説明】
【技術分野】
【０００１】
本発明はエアコン機器やオーディオ機器等の電子機器の入力操作用のスイッチに用いられる静電容量方式タッチセンサ装置に関する。
【背景技術】
【０００２】
従来、自動車に搭載されるオーディオ装置を操作するために、インストルメントパネルにおいて運転席や助手席に着座する乗員の操作しやすい位置に、静電容量式のタッチセンサが設けられたスイッチパネル装置が設置されている。
【０００３】
この種のスイッチパネル装置では、操作者がスイッチパネル装置を操作する際に触れるパネル部分の一部の箇所に、絶縁層を挟んで検出電極が形成されている。この検出電極には、電源から出力される信号（電圧）が印加されている。また検出電極は、その検出電極の静電容量の値の変化によって生じる電流の変化を電圧の変化として検出する検出回路に接続されている。
【０００４】
この検出回路はスイッチパネル装置のパネル部分の外部に別体で配置されている。またパネル部分には、検出電極と検出回路とを電気的に接続するための接続パターンが形成されている。
【０００５】
ところで操作者がパネル部分の接触面からその接続パターンに触れると、静電容量の値の変化により接続パターンから微量な電流が操作者に流れる。つまり、接続パターンで発生した微量な電流より下流の電圧が変化してしまい、検出回路は上記電圧の変化を検出してしまう。この結果、操作者が検出電極に触れたという（操作者の意図しない）誤認識がされる虞がある。
【０００６】
このため、パネル部分には、操作者が接続パターンに触れても、検出回路による検出が行われないようにするために、接続パターンをほぼ全面的に覆うシールド電極が絶縁層を介して対向的に配置されている。このシールド電極を設けることにより、操作者がパネル部分において接続パターンが配置される部分に触れた場合であっても、シールド電極から操作者へ電流が流れる。従って、接続パターンから操作者へ電流が流れることが抑制されるようになることが知られている（例えば、特許文献１参照）。
【０００７】
尚、上述したシールド電極は接続パターンを基本的に全面的に覆うように対向配置されている。ただし、検出電極近傍の接続パターン線については、電極などの形成誤差を考慮して（つまりシールド電極と検出電極とが電気的に接続されることを防止するため）、シールド電極を形成配置しないようにしている。
【先行技術文献】
【特許文献】
【０００８】
【特許文献１】特開２００９−２４６９０７号公報
【発明の概要】
【発明が解決しようとする課題】
【０００９】
接続パターンを覆うシールド電極を設けた上記特許文献１の技術では、操作者がパネル部分の接触面から接続パターンに触れることによる操作者の意図しない作動、つまり誤作動は防ぐことができる。
【００１０】
しかしながら、上述したような接続パターンをほぼ全面的に覆うようにシールド電極を設けた構成を採用した構成では、シールド電極と接続パターン間で形成される容量によって、その微弱な電流を吸収してしまう虞がある。つまり検出回路では、その吸収によって微弱な電流を検出する感度が低下してしまうといった懸念があり、操作者からの入力操作が認識しづらくなるという問題が発生する虞がある。
【００１１】
本発明は上記問題に鑑み、指などの入力操作体がパネル部分の接触面から接続パターンに触れることによって生じる電圧の変動を抑制しつつ、検出回路が検出する検出電極からの電圧の感度の低下を低減できる静電容量方式タッチセンサ装置を提供することを目的とする。
【課題を解決するための手段】
【００１２】
上記目的を解決するために、請求項１の静電容量方式タッチセンサ装置は、検出電極と、接続パターンと、シールド電極とがパネル部分に配置され、パネル部分の外部に検出電極及び接続パターンのそれぞれの入力操作体の接触によって生じる静電容量の値の変化を電圧の変化として検出可能な検出回路とを備え、その検出回路の電圧の変化を示す信号に基づき、検出電極が接触されたか否かを判定できる装置であり、シールド電極は、接続パターンの接触及び検出電極それぞれの接触による検出回路の電圧の変化と、検出電極が接触されたか否かを判定するための所定の閾値電圧との関係に基づき設定された面積が、接続パターンに対して重なるように対向配置されており、かつ接続パターンの部分を入力操作体が接触面から接触した際、その入力操作体の一部とシールド電極とが重なって対向配置されてなることを特徴としている。
【００１３】
この構成によれば、入力操作体（例えば指）が接触面から接続パターンの部分に接触した場合に、シールド電極の部分とも接触するように配置されている。そのため、パネル部分にシールド電極を何も配置しない場合に比べ、接続パターンの部分に触れてしまったことによって生じる電圧の変動を抑制することができる。
【００１４】
またシールド電極は、接続パターンに対して部分的に対向配置されている。そのため、接続パターンに対して全面的に対向配置するよりも、入力操作体（指）が検出電極に接触することによって生じる電圧の変化についての感度低下を低減することができる。
【００１５】
特に接続パターンに対向配置されるシールド電極の面積を最適な範囲で設定することによって、指などの入力操作体が接触面から接続パターンの部分に触れることによって生じる電圧の変動を抑制しつつ、検出回路が検出する検出電極からの電圧の感度の低下を低減できる。
【００１６】
さらに請求項２の静電容量方式タッチセンサ装置は、シールド電極と同層に、接続パターンの幅方向に対してシールド電極が対向配置されない跨ぎ部をさらに設け、跨ぎ部には、接続パターンを幅方向に跨ぐ様に配線パターンが配置されていることを特徴としている。
【００１７】
この構成によれば、シールド電極層を利用して、跨ぎ配線が可能となるため、配線設計の自由度を高めることができる。
【図面の簡単な説明】
【００１８】
【図１】本発明の実施形態における静電容量方式タッチセンサのブロック構成の概略図である。
【図２】図１のＡ−Ａ線に沿って示されるパネル部分の断面図である。
【図３】図１のＡ−Ａ線を正面図より拡大した接続パターンに対向配置されるシールド電極の配置例である。
【図４】図１の接続パターンとシールド電極と入力操作体（指）によって形成される容量の回路概略図である。
【図５】本発明の実施形態におけるシールド電極面積の最適設定範囲を求める方法を示す図である。
【図６】図１の接続パターンに対向配置されるシールド電極の配置例において、接続パターン（跨ぎ部）を設けた場合を示す図である。
【発明を実施するための形態】
【００１９】
以下、図面を参照しながら本発明の実施形態について説明する。なお、本実施形態の静電容量方式タッチセンサ装置は、例えば自動車内に搭載されるオーディオ装置（非図示）の入力操作用のスイッチパネル装置（非図示）に設けられている。
【００２０】
図１は、静電容量方式タッチセンサ装置１の概略のブロック構成（正面図）を示している。静電容量方式タッチセンサ装置１は、オーディオ装置の入力操作を行うための複数の検出電極２０（図１では２０ａ、２０ｂ、２０ｃ）が形成されたパネル部分１０を備えている。また静電容量方式タッチセンサ装置１は、パネル部分１０の外部に分離して配置され、かつ検出電極２０と電気配線１３などを介して電気的に接続された検出回路３０、及び検出回路３０と電気的に接続された制御装置４０とを備えている。
【００２１】
尚、パネル部分１０の表側、つまり入力操作体（ここでは人の指）５０が接触する接触面に対し、シールド電極１２の層、接続パターン１１の層の順で、それぞれ間に絶縁体（図２で詳述）を挟んで配置されている。図１では、パネル部分１０の主要な層構成を見易くするためこの絶縁体の層を省いている。
【００２２】
以下より詳しく説明すると、このパネル部分１０に形成された検出電極２０は、パネル部分１０上に形成された接続パターン１１（図１では１１ａ、１１ｂ、１１ｃ）と銅線等を用いた電気配線１３（図１では１３ａ、１３ｂ、１３ｃ）とを介して、それぞれ対応する検出回路３０（図１では３０ａ、３０ｂ、３０ｃ）と接続端子１４を介して電気的に接続されている。このパネル部分１０に形成された接続パターン１１ａ、１１ｂ、１１ｃは、それぞれ互いに電気的に接続されておらず、かつ検出電極２０ａ、２０ｂ、２０ｃとは１対１に対応して接続されている。また、接続パターン１１ａ、１１ｂ、１１ｃは、それぞれ対応する検出電極２０ａ、２０ｂ、２０ｃからパネル部分１０の縁部にある接続端子１４に向けてＬ字型に配線されており、さらにこの接続端子１４を介して電気配線１３ａ、１３ｂ、１３ｃに、それぞれ対応して電気的に接続されている。
【００２３】
なお図１を用いて説明した、検出電極２０（２０ａ、２０ｂ、２０ｃ）、接続パターン１１（１１ａ、１１ｂ、１１ｃ）、電気配線１３（１３ａ、１３ｂ、１３ｃ）、検出回路３０（３０ａ、３０ｂ、３０ｃ）の個々（各ａ，ｂ，ｃの３つのこと）についてはそれぞれ同じ構成及び特性を有しているため説明を省略し、必要時以外は総称（検出電極２０、接続パターン１１、電気配線１３、検出回路３０）で以下説明する。
【００２４】
このシールド電極１２は、接続パターン１１に対して後述する所定の面積が部分的に重なるように対向配置されている。図１のシールド電極１２は、パネル部分１０にＬ字型に形成された接続パターン１１に対し、部分的に同方向に重なる、及び部分的に直交するように重なって櫛状に対向配置されており、その櫛状の歯をそれぞれ繋ぐ引き出し線は接続端子１４を介して、外部に用意された接地電極（ＧＮＤ）と電気的に接続されている。
【００２５】
また、入力操作体（指）５０が絶縁体を介して接続パターン１１の配線に接触する際、シールド電極１２は、この入力操作体（指）５０の少なくとも一部と絶縁体を介して接触するように接続パターン１１と対向配置されている。
【００２６】
検出回路３０は、パネル部分１０の検出電極２０を流れる電流の変化を電圧の変化として検出できる回路を有しており、検出電極２０の操作（触れられたこと）などによって生じる電流を、電圧の変化として検出する。
【００２７】
制御装置４０は、検出回路３０より送信された信号（電圧の変化）を検出することによって、検出電極２０が操作されたか否かを判定する。また制御装置４０は、オーディ装置（非図示）に接続されており、上記操作の判定結果に基づき、オーディオ装置の動作を制御する。
【００２８】
ここで静電容量方式タッチセンサの動作原理を簡単に説明する。検出電極２０には、高周波電源（非図示）から出力される信号（電圧）が印加されている。そして入力操作体（指）５０が検出電極２０に触れると、静電容量の値が即応（応動）して変化し、検出電極２０から入力操作体（指）５０へ微量に電流が流れる。このため、入力操作体（指）５０が検出電極２０に触れた場合と触れていない場合とでは、検出電極２０より下流側の電圧値が変化する。検出回路３０は、この電圧の変化を検出することによって、スイッチパネル装置（非図示）が操作されたことを検出する。
【００２９】
図２は、図１のＡ−Ａ線に沿って形成されているパネル部分１０の断面図を示している。この図２に示すようにパネル部分１０では、基板６０の接触面側に、金、銀、銅、ニッケル、アルミなどの導電性材料を用いたシールド電極１２、及び表面保護層７０が順次積層配置されている。また、基板６０の接触面と反対の面側には基板６０に対して、金、銀、銅、ニッケル、アルミなどの導電性材料を用いた接続パターン１１、及び表面保護層７０が順次積層されている。この基板６０はガラスやプラスチック材料などの絶縁性を有する材料により構成されている絶縁体である。つまりこの基板６０（絶縁体）を介して接続パターン１１とシールド電極１２とが互いに絶縁されるように形成されている。また表面保護層７０は、シールド電極１２や接続パターン１１などの表面を保護するものであり、二酸化珪素や窒化シリコンなどの絶縁材料で構成されている絶縁体であり、この絶縁体を介して入力操作体（指）５０とシールド電極１２とが互いに絶縁されるように形成されている。
【００３０】
尚、上述してきたうち、静電容量方式タッチセンサ装置の基本的な構成、動作原理、材料、及び制御方法などについては周知の技術を用いているため（例えば特許文献１や特開２００７−４７９９０号公報などを参照）、詳細な説明は省略する。
【００３１】
図３は、接続パターン１１に対向配置されるシールド電極１２の配置例を示している。図３（ａ）は、本実施形態の図１のパネル部分１０上のＡ−Ａ線を正面図（接触面）から拡大して見た図であり、図３（ｂ）及び図３（ｃ）は、図３（ａ）のシールド電極１２の配置における他の例を示している。
【００３２】
図３（ａ）では、図１に示したように接続パターン１１に対して櫛状（≒短冊状）にシールド電極１２が配置されている。
【００３３】
ただしシールド電極１２は図１に示した図３（ａ）のような配置に限ることは無い。例えば、図３（ｂ）のように接続パターン１１に沿ってその接続パターンの両側にシールド電極１２が配置してあってもよく、図３（ｃ）のように接続パターン１１に沿ってその接続パターンの片側にシールド電極１２が配置されていてもよい。
【００３４】
さらに図３（ｂ）、（ｃ）のように配置されたシールド電極１２は、何れも図示省略しているが、それぞれパネル部分１０の縁部より接地電極（ＧＮＤ）と電気的に接続された構成となっている。このＧＮＤへの接続について具体的に説明すると、例えば接続パターン１１に対応して配置されたシールド電極の各配線は、パネル部分１０の縁部で１つの配線に統合されており、接続端子１４を介して接地電極（ＧＮＤ）と電気的に接続されるように構成されている。又は、接続端子１４をパネル部分１０に複数用意し、シールド電極の各配線をその複数の接続端子１４にそれぞれ接続して、それら複数の接続端子を介して接地電極（ＧＮＤ）と電気的に接続されるように構成されていてもよい。
【００３５】
上述したようにこのシールド電極１２は、接続パターン１１に対して後述する所定の面積が部分的に重なるように対向配置されている。言い換えると、シールド電極１２は、接続パターン１１に対向する位置に例えば部分的に隙間１１ｘ１〜３を設け、接続パターン１１を全面的に覆わない対向配置がなされている。
【００３６】
また図３（ａ）〜（ｃ）に示すように、入力操作体（指）５０が接続パターン１１部分の配線に接触する際、シールド電極１２は、この入力操作体（指）５０の少なくとも一部と絶縁体を介して接触するように接続パターン１１と対向配置されている。
【００３７】
尚、この図３（ａ）〜（ｃ）それぞれの隙間１１ｘ１〜３のサイズについては、オーディオ装置を操作する人の一般的な指のサイズやパネル部分１０の大きさ等から設計によって定めており、例えば数十マイクロメートルから数ミリメートルの範囲で設計されている。
【００３８】
ここで図３の作用効果について、図４、図５を順番に用いて説明する。
【００３９】
図４は接続パターン１１とシールド電極１２と入力操作体（指）５０によって形成される静電容量（以下容量と略す）の回路概略図である。図４（ａ）及び図４（ｂ）は従来技術の静電容量方式タッチセンサ装置の一般的構成であり、図４（ｃ）は本発明に係る実施形態の静電容量方式タッチセンサ装置の構成である。図４では、従来構成と本発明に係る実施形態の構成との差異を比較し易いように、それぞれの構成を同一図面上に記載している。尚、ここではシールド電極１２（ＧＮＤ接続）の有無やシールド電極１２の配置方法以外は全て同じ条件で構成されている。
【００４０】
従来構成の図４（ａ）では、シールド電極１２が接続パターン１１上に全く対向配置されない場合の検出電極２０から検出回路３０までの回路概略図を示している。この４００では（絶縁体を介して）入力操作体（指）５０がパネル部分１０の接触面を介して検出電極２０部分に触れたときに、検出電極２０と接触面との間に容量Ｃ１が形成される。また、入力操作体（指）５０が接続パターン１１部分に触れたときには、接続パターン１１とパネル部分１０の接触面との間に容量Ｃ２が形成される。
【００４１】
そして図４（ａ）では、この入力操作体（指）５０がパネル部分１０の接触面を介して検出電極２０部分に触れたとき、検出電極２０から入力操作体（指）５０に微量電流が流れる。また、入力操作体（指）５０が接続パターン１１の配置される部分に接触面から触れたときにも、接続パターン１１から入力操作体（指）５０に微量電流が流れる。そのため検出回路３０ではそれぞれに発生した微量電流による電圧の変化を検出してしまう。従って、制御装置４０（非図示）側では、入力操作体（指）５０ｂの接続パターン１１部分への接触に起因して、検出電極２０に接触したという誤認識が発生する虞がある。
【００４２】
次に従来構成の図４（ｂ）では、シールド電極１２が接続パターン１１上に全面的に対向配置された（つまりベタ配置された）場合の検出電極２０から検出回路３０までの回路概略図を示している。この図４（ｂ）では（絶縁体を介して）入力操作体（指）５０がパネル部分１０の接触面を介して検出電極２０部分に触れたとき、検出電極２０と接触面との間に容量Ｃ１が形成される。また、入力操作体（指）５０が接続パターン１１の配置される部分に触れたとき、シールド電極１２とパネル部分１０の接触面との間に容量Ｃ４ａが形成される。さらに接続パターン１１とシールド電極１２の間には容量Ｃ３ａが形成されている。
【００４３】
図４（ｂ）では、この入力操作体（指）５０がパネル部分１０の接触面を介して検出電極２０部分に触れたとき、検出電極２０から入力操作体（指）５０に微量電流が流れる。一方、入力操作体（指）５０が接続パターン１１の配置される部分に触れたときには、シールド電極１２から入力操作体（指）５０に微量電流が流れる。つまりシールド電極１２が接続パターン１１を覆うように対向配置することにより、接続パターン１１とパネル部分１０の接触面との間に形成される容量Ｃ２ａは非常に小さくなる。そのため入力操作体（指）５０が接続パターン１１の配置される部分に触れたときであっても、接続パターン１１から入力操作体（指）５０に電流が流出することが抑制される。
【００４４】
従って検出回路３０では、入力操作体（指）５０の接続パターン１１部分への接触に起因する電流の影響を無視し、かつ検出電極２０の微量電流が流れることによる電圧値の変化を検出できるようになるため、上述した図４（ａ）のような誤認識を抑制することができる。
【００４５】
しかし図４（ｂ）のようにシールド電極１２が接続パターン１１を全面覆うように対向配置する場合において、例えば接続パターン１１の配線の長さが長くなるほど、もしくは配線の幅が太くなるほど、接続パターン１１とシールド電極１２の間に形成される容量Ｃ３ａは大きくなる。もしこの容量Ｃ３ａが大きくなる、すなわち接続パターン１１とシールド電極１２が対向して重なり合って位置される部分の面積が増加すると、入力操作体（指）５０が検出電極２０部分に触れたときに流れる微量電流が容量Ｃ３ａに殆ど吸収されてしまい、検出回路３０で検出する電圧の変化も小さくなる虞がある。つまり入力操作体（指）５０が検出電極２０部分に触れたにもかかわらず、検出電極２０が操作されたことを検出できない場合が発生する虞がある。
【００４６】
次に本発明の実施形態となる図４（ｃ）では、シールド電極１２が接続パターン１１上に部分的に対向配置された場合の検出電極２０から検出回路３０までの回路概略図を示している。
【００４７】
この図４（ｃ）では（絶縁体を介して）入力操作体（指）５０がパネル部分１０の接触面を介して検出電極２０部分に触れたとき、検出電極２０と接触面との間に容量Ｃ１が形成される。またシールド電極１２は、この入力操作体（指）５０の少なくとも一部と絶縁体を介して接触するように接続パターン１１と対向配置されている。そのため、入力操作体（指）５０が接続パターン１１の配置される部分に触れたとき、シールド電極１２とパネル部分１０の接触面との間に容量Ｃ４ｂが形成される。さらに入力操作体（指）５０が接続パターン１１上で、シールド電極１２が対向配置されていない部分に接触した場合は、接続パターン１１とパネル部分１０の接触面との間に容量Ｃ２ｂが形成される。また、接続パターン１１とシールド電極１２の間には容量Ｃ３ｂが形成されている。
【００４８】
ここで図４（ａ）〜図４（ｃ）における接続パターン１１に形成される容量の大小関係について説明する。上述した構成に基づき、接続パターン１１とパネル部分１０の接触面との間に形成される容量Ｃ２、Ｃ２ａ、Ｃ２ｂの大小関係は、接続パターン１１と入力操作体（指）５０の接触面積がそれぞれ異なることから、Ｃ２＞Ｃ２ｂ＞＞Ｃ２ａとなる。また、接続パターン１１とシールド電極１２の間に形成される容量Ｃ３ａ、Ｃ３ｂの大小関係は、接続パターン１１にシールド電極１２が対向配置されて重なる面積が、図４（ｂ）と図４（ｃ）では異なることから、Ｃ３ａ＞Ｃ３ｂとなり、シールド電極１２とパネル部分１０の接触面との間に形成される容量Ｃ４ａ、Ｃ４ｂの大小関係は、シールド電極１２の全面ベタ配置と部分配置の違いから、ここではＣ４ａ＞Ｃ４ｂとなる。
【００４９】
つまりＣ２＞Ｃ２ｂであるために、図４（ｃ）の構成は接続パターン１１に何もシールド電極１２を配置しない図４（ａ）に比べ、入力操作体（指）５０が接続パターン１１上の接触面に触れることで生じる電流の変動を抑えることができ、検出電極２０に接触したという誤認識を抑制することができる。
【００５０】
またＣ３ａ＞Ｃ３ｂであるために、図４（ｃ）の構成は、接続パターン１１にシールド電極１２を全面的に配置した図４（ｂ）に比べ、接触によって発生する検出電極２０からの微弱な電流が吸収されてしまうことを低減できる。つまり検出回路３０では、微弱な電流を検出する感度が低下することを低減できる。
【００５１】
従って、接続パターン１１部分への接触による誤認識を抑制しつつ、検出電極２０が正常に操作されたことを検出することが可能になる。
【００５２】
ここで、接続パターン１１に対して部分的に重なるように対向配置されているシールド電極１２の所定の面積の求め方について図５を用いて説明する。
【００５３】
図５は、シールド電極１２と接続パターン１１が重なって対向配置される部分において、その重なり面積の最適設定範囲を求める方法を示す図である。
【００５４】
図５の縦軸は検出回路３０で検出される電圧値（検出電極２０の接触などによって生じる電圧の変化量）を示し、横軸は対向配置される接続パターン１１とシールド電極１２の重なり部分の面積を示している。また、図５には検出回路３０の電圧の変化量によって検出電極２０が入力操作されたか否かを判断するための電圧の閾値２２０（破線）が示されている。
【００５５】
また、図５には接続パターン１１とシールド電極１２の重なり部分の面積を少しずつ増加させながら、その増加する毎に検出電極２０に入力操作体（指）５０を接触させ、そのときの検出回路３０の電圧の変化量をプロットした、検出電極２０の接触による電圧変化線２００が示されている。さらに、接続パターン１１とシールド電極１２の重なり部分の面積を少しずつ増加させながら、その増加する毎に接続パターン１１の部分に入力操作体（指）５０を接触させ、そのときの検出回路３０の電圧の変化量をプロットした、接続パターン１１の接触による電圧変化線２１０が示されている。尚、接触面からこの接続パターン１１に入力操作体（指）５０を接触させる位置については、最も接続パターン１１が接触の影響を受ける位置（図４の４０２の容量Ｃ２ｂが最も大きくなる接続パターンの位置）で求めるのが良い。また、上述の２００、２１０の求め方は、実測定によって求めても、計算によって求めても良い。さらに２００、２１０をより簡単に求めるには、接続パターン１１とシールド電極１２の重なりが、検出電極２０からパネル部分１０の縁部の電気配線１３の接続端子１４まで、例えば図３の３０２や３０３のように均等配置されていることが好ましい。
【００５６】
そして電圧変化線２００と閾値２２０との交点、及び電圧変化線２１０と閾値２２０との交点の間を結ぶ範囲が最適面積設定範囲２３０となる。シールド電極１２の所定の面積は最適面積設定範囲２３０内に収まるように設計するとよい。以下、この最適面積設定範囲２３０をより詳しく説明する。
【００５７】
まず、検出電極２０の接触による電圧変化線２００と閾値２２０との交点を境に、正常検出範囲２０１と検出不可範囲２０２が横軸方向にそれぞれ分かれて範囲が示されている。正常検出範囲２０１は、シールド電極１２と接続パターン１１との重なり面積が十分な範囲（つまり検出電極２０の接触を検知するための閾値２２０以上の電圧の変化量を得ることのできる範囲）である。また検出不可範囲２０２は、重なり面積が過剰な範囲（つまり検出電極２０の接触を検知するための閾値２２０以上の電圧の変化量を十分得ることができない範囲）である。
【００５８】
また、接続パターン１１の接触による電圧変化線２１０と閾値２２０との交点を境に、誤認識防止可能範囲２１１と誤認識防止不可範囲２１２が横軸方向にそれぞれ分かれて範囲が示されている。誤認識防止可能範囲２１１は、シールド電極１２と接続パターン１１との重なり面積が十分な範囲（つまり接続パターン１１部分に接触しても電圧の変化量を閾値２２０以下に抑制することのできる範囲）である。また誤認識防止不可範囲２１２は、重なり面積が不足する範囲（接続パターン１１部分に接触したときに電圧の変化量を閾値２２０以下に抑制することのできない範囲）である。
【００５９】
つまり、上述した正常検出範囲２０１と誤認識防止可能範囲２１１の両方を満たす条件の範囲が、最適面積設定範囲２３０となる。
【００６０】
尚、接続パターン１１はパネル部分１０の検出電極２０から接続端子１４までの間に配置されるものであるため、対向配置されるシールド電極１２と接続パターン１１の重なり部分の面積は有限の値を持つ。そのため横軸の上限値は、シールド電極１２と接続パターン１１が全て重なりあった場合を意味する、重なり部分の面積の最大値２４０までとなる。
【００６１】
このようにシールド電極１２の所定の範囲を定めることにより、入力操作体（指）５０がパネル部分１０の接触面を介して接続パターン１１に触れることによって生じる電圧の変動を抑制しつつ、検出回路３０が検出する検出電極２０からの電圧の感度低下を低減できる。
【００６２】
従って、接続パターン１１部分への接触による誤認識を抑制しつつ、操作者からの入力操作が認識しづらくなるという問題を解決することができる。
【００６３】
以上、説明してきたように本発明の静電容量式タッチセンサ装置における実施形態を説明してきたが、本発明は上述した実施形態に限定されるものでなく、特許請求の範囲の各請求項に係る発明の要旨を逸脱しない限り適用できる。
【００６４】
例えば、パネル部分１０の基板はガラスやプラスチック材料などの絶縁性を有する材料により構成されているが、ガラスエポキシなどのプリント基板で構成してあっても良い。また、シールド電極１２は接地電極（ＧＮＤ）と電気的に接続されているが、これに限ることは無い。例えばこのＧＮＤの代わりに、検出電極２０にかかる電圧よりも相対的に低い定電圧を発生する電源回路（非図示）と電気的に接続されてあっても良い。さらに、入力操作体（指）５０は、人体の指がパネル部分１０に接触することを想定しているが、指に限ることは無く、例えば検出電極２０に人体の一部（掌、腕、手の甲など）が直接又は間接的に接触した際に電流の変化をもたらすものであれば良い。
【００６５】
さらに本発明は上述の実施形態において、自動車内に搭載されるオーディオ装置の入力操作用のスイッチパネル装置に用いられるものとして説明してきたが、これに限ることは無く例えばエアコン装置（非図示）など別の装置や自動車以外の用途においても適用できる。さらに、接続パターン１１やシールド電極１２などの配線層は本実施形態のような２層だけでなく、例えば３層以上で構成されてもよい。
【００６６】
その他、図５で説明した最適面積設定範囲２３０は、正常検出範囲２０１と誤認識防止可能範囲２１１の両方を満たす条件の範囲で求めているがこれに限ることは無い。例えば検出回路の電圧値の閾値２２０を、検出電極２０の接触による電圧変化線２００と重なり部分の面積の最大値２４０との交点より下になるように設定すれば、電圧変化線２００の影響を無視することができ、その場合は最適面積設定範囲２３０＝誤認識防止可能範囲２１１となる。また、検出回路の電圧値の閾値２２０を、接続パターン１１の接触による電圧変化線２１０電圧変化線２１０と縦軸（検出回路３０の電圧値）との交点より上になるように設定すれば、電圧変化線２１０の影響を無視することができ、その場合は最適面積設定範囲２３０＝正常検出範囲２０１となる。
【００６７】
さらに図３のようなシールド電極１２の配置例に限ることは無く、例えば図６に示すように、パネル部分１０の接続パターン１１を幅方向に跨ぐ様にシールド電極１２と同層でかつシールド電極１２が対向配置されていない跨ぎ部１５を設けてあってもよい。尚、この図６（ａ）〜（ｃ）の基本構成は、跨ぎ部１５以外は図３（ａ）〜（ｃ）にそれぞれ対応しており、同じ構成要素については説明を省略する。
【００６８】
尚、接続パターン１１を跨ぐ前、又は跨いだ後の何れか一方の配線パターン１６は接続パターン１１（１１ａ、１１ｂ、１１ｃの何れか）と、接続パターン１１と同層に電気的に接続されて形成されたスルーホール（非図示）を介して電気的に接続されている。
【００６９】
このようにシールド電極１２と接続パターン１１の部分的な重なりを積極的に利用すれば、シールド電極１２の層に跨ぎ配線パターン１６を配置することが可能となるため、配線設計の自由度を高めることができる。例えば図１の接続パターン１１ａの配線に対し並行に配線された別の接続パターン（１１ｂ、１１ｃ）の配線を跨いだ（かつ接続パターン１１ａと一方が電気的に接続された）配線パターン１６を用意する。このような配線パターン１６を設けることで、接続端子１４とは別の接続端子（非図示）へ配線接続することもでき、ひいては接続パターン１１ａの信号（静電容量の値の変化）を他の回路へ利用することも可能となる。またこの跨ぎ部１５において、導電性材料からなる配線パターン１６が接続パターン１１を幅方向に跨ぐ様に形成されることで、別途専用の跨ぎ配線パターンの層を形成するコストを抑えることができる。
【００７０】
さらにパネル部分１０がガラスエポキシなどのプリント基板で形成されている場合は、この跨いだ配線パターン１６と配置された回路（抵抗やコンデンサ、ＩＣなど）とがプリント基板上にはんだ付けで容易に電気的に接続することができる。
【符号の説明】
【００７１】
１  静電容量方式タッチセンサ装置
１０  パネル部分
１１  接続パターン
１２  シールド電極
１３  電気配線
１４  接続端子
１５  跨ぎ部
１６  配線パターン
２０  検出電極
３０  検出回路
４０  制御装置
５０  入力操作体（指）
６０  基板
７０  表面保護層
【図１】
2013171680.tif 000003
【図２】
2013171680.tif 000004
【図３】
2013171680.tif 000005
【図４】
2013171680.tif 000006
【図５】
2013171680.tif 000007
【図６】
2013171680.tif 000008